(57)【要約】【課題】植栽や土を収納して重くなった鍔付きの細長い箱型のプランターを簡単にかつ確実に持ち上げて、目的の場所に簡単に運搬することができ、また、外形寸法の多少異なるプランターに対しても簡単な操作で自在に対応することができるプランター運搬台車を、極めて簡単な構造で提供する。【解決手段】フレーム本体１と左右一対の車輪２とからなる。フレーム本体１は、ハンドル部３と、そこから２本のパイプ材４ａ，４ｂが分岐して一対の車輪２の取付部６まで斜め下方に延出する二股部４と、この二股部４から前方に延出する一対のフォーク５，５とからなる。一対のフォーク５，５は、プランター７の前方からその左右両側に位置する鍔部７ａの下側の隙間Ｓに差し込まれ、ハンドル部３の下げ操作によりプランター７を持ち上げ可能な長さＬ１をもつ。二股部４の２本のパイプ材の分岐部４ｃに回動連結部８を設けて、フォーク５，５間の間隔Ｌ３を調整する。【選択図】図１
0003111687.tif 000002
【実用新案登録請求の範囲】
【請求項１】
パイプ材からなるフレーム本体と、このフレーム本体の下部に取り付けられた左右一対の車輪とからなり、フレーム本体は、車輪に対し上方位置にあるハンドル部と、このハンドル部から２本のパイプ材が分岐して左右一対の車輪の取付部まで斜め下方に延出する二股部と、この二股部から前方に延出する一対のフォークとからなり、この一対のフォークは、鍔付きのプランターに対しプランターの前方からプランターの左右両側に位置する鍔部下側の隙間に差し込まれて、ハンドル部の下げ操作により同プランターを持ち上げ可能な長さをもち、さらに、二股部における２本のパイプ材の分岐部に回動連結部が設けられて、フォーク間の間隔が調整可能とされていることを特徴とするプランター運搬台車。
【請求項２】
一対のフォークは、鍔付きの細長い箱型のプランターをその幅方向に沿って２個整列した状態で、各プランターの左右両側に位置する鍔部下側の隙間に一度に差し込んで、ハンドル部の下げ操作により２個のプランターを一度に持ち上げ可能な長さをもつことを特徴とする請求項１記載のプランター運搬台車。
【請求項３】
ハンドル部から車輪の取付部までの長さがフォークの長さの３倍以上であることを特徴とする請求項１または請求項２記載のプランター運搬台車。
【請求項４】
ハンドル部は、円環状のグリップを備えることを特徴とする請求項１ないし請求項３記載のプランター運搬台車。
【考案の詳細な説明】
【技術分野】
【０００１】
本考案は、植栽や土を収納して重くなった鍔付きの細長い箱型プランターを簡単に運搬することができるプランター運搬台車に関する。
【背景技術】
【０００２】
従来より、手押し式の運搬車として、植木が植えられた鉢物を運搬する運搬車（特許文献１）や、苗箱を運搬する運搬車(特許文献２)が提供されている。前者の運搬車は、植木鉢の側周部を爪支持杆に支持した一対の爪で挟んで植木鉢を持ち上げて運搬するものであり、後者の運搬車は、運搬車の荷台の先端を接地させて、予め整列させられた苗箱をすくいながら順次荷台に乗り移らせて運搬するようにしたものである。
【０００３】
【特許文献１】特開平１１−３４６５６６号公報
【特許文献２】特開２００１−２５３３４６号公報
【考案の開示】
【考案が解決しようとする課題】
【０００４】
しかしながら、前者の運搬車は、爪支持杆に支持した一対の爪を左右に移動させることにより外径の異なる鉢物を挟持することができるようになっているものの、爪の着脱操作が面倒である。後者の運搬車は、荷台の先端を接地させて苗箱をすくい上げて荷台に乗り移らせるもので、苗箱のような扁平形状の箱には適するものの、比較的深底のプランターについては、これを順次荷台に乗り移らせるには難しく、適しにくい。
【０００５】
本考案は上記問題点に鑑みてなされたもので、植栽や土を収納して重くなった鍔付きの細長い箱型のプランターを簡単にかつ確実に持ち上げて、目的の場所に簡単に運搬することができ、また、外形寸法の多少異なるプランターに対しても簡単な操作で自在に対応することができるプランター運搬台車を、極めて簡単な構造で提供することを目的とする。
【課題を解決するための手段】
【０００６】
上記課題を解決するために、本考案の請求項１に係るプランター運搬台車は、パイプ材からなるフレーム本体と、このフレーム本体の下部に取り付けられた左右一対の車輪とからなり、フレーム本体は、車輪に対し上方位置にあるハンドル部と、このハンドル部から２本のパイプ材が分岐して左右一対の車輪の取付部まで斜め下方に延出する二股部と、この二股部から前方に延出する一対のフォークとからなり、この一対のフォークは、鍔付きのプランターに対し、プランターの前方からプランターの左右両側に位置する鍔部下側の隙間に差し込まれて、ハンドル部の下げ操作により同プランターを持ち上げ可能な長さをもち、さらに、二股部における２本のパイプ材の分岐部に回動連結部を設けて、フォーク間の間隔を調整可能としたことを特徴とする。
【０００７】
車輪の取付部から前方に延出する一対のフォークを、鍔付きのプランターに対し、プランターの前方からプランターの左右両側に位置する鍔部下側の隙間に差し込み、ハンドル部を下げ操作すると、車輪を支点としてフォークが持ち上がり、プランターが簡単にかつ確実に持ち上がる。
【０００８】
二股部における２本のパイプ材の分岐部に回動連結部を設けて、フォーク間の間隔を調整可能としたから、外形寸法の多少異なるプランターに対して一方のパイプ材を回動させる簡単な操作で、自在に対応することができる。
【０００９】
フレーム本体を、１本のパイプ材と、その途中から分岐するもう１本のパイプ材の計２本のパイプ材から形成することができ、フレーム本体が極めて簡単な構造で得られる。
【００１０】
本考案の請求項２に係るプランター運搬台車は、一対のフォークが、鍔付きの細長い箱型のプランターをその幅方向に沿って前後に２個整列した状態で、プランターの前方からプランターの左右両側に位置する鍔部下側の隙間に一度に差し込んで、ハンドル部の下げ操作により２個のプランターを一度に持ち上げ可能な長さをもつことを特徴とする。
【００１１】
一度に２個のプランターを持上げ、あるいは１個ずつフォークの奥方から前端にかけて２個のプランターを順次乗せ、一度に２個のプランターを運搬することができ、作業効率が高くなる。
【００１２】
本考案の請求項３に係るプランター運搬台車は、ハンドル部から車輪の取付部までの長さをフォークの長さの３倍以上としたことを特徴とする。
【００１３】
ハンドル部から車輪の取付部までの長さをフォークの長さの３倍以上としたから、テコの原理を利用して、プランターの持上げ・運搬方向への旋回・運搬の各動作における操作性を軽くすることができる。
【００１４】
なお、ハンドル部から車輪の取付部までの長さは、フォークの長さの４倍以下とすることが望ましい。これにより、ハンドル部までの長さが長過ぎることがなくて、ハンドル部の取扱いが容易になる。
【００１５】
本考案の請求項４に係るプランター運搬台車は、ハンドル部が円環状のグリップを備えることを特徴とする。
【００１６】
ハンドル部が円環状のグリップを備えることで、プランター運搬台車の操作性をより一層良くすることができる。円環状のグリップを壁のフック等に引っ掛けて立て掛けたり吊り下げることもできる。
【考案の効果】
【００１７】
以上説明したように、本考案に係るプランター運搬台車によると、極めて簡単な構造で、植栽や土を収納して重くなった鍔付きの細長い箱型のプランターを簡単にかつ確実に持ち上げて、目的の場所に簡単に運搬することができる効果を奏する。また、外形寸法の多少異なるプランターに対しても簡単な構造と簡単な操作で自在に対応することができる効果を奏する。
【考案を実施するための最良の形態】
【００１８】
本考案を実施するための最良の形態を図１ないし図８を参照して説明する。図１に示すように、本考案のプランター運搬台車は、中空のパイプ材からなるフレーム本体１と、このフレーム本体１の下部に取り付けられた左右一対の車輪２，２とからなる。
【００１９】
フレーム本体１は、車輪２に対し上方位置にあるハンドル部３と、このハンドル部３から中空の２本のパイプ材４ａ，４ｂが分岐して左右一対の車輪２，２の各取付部６，６まで斜め下方に延出する二股部４と、この二股部４から前方に延出する中空の２本のパイプ材からなる左右一対のフォーク５，５とから構成されている。
【００２０】
ハンドル部３は、作業者がプランター運搬台車を操作する部分であり、１本のパイプ材を円環状に曲げて形成してなる円環グリップ３ａと、円環グリップ３ａから１本のパイプ材が二股部４へ向けて屈曲しながら延出する屈曲部３ｂとから構成されている。
【００２１】
中空のパイプ材は、アルミニウム等の軽量の金属製からなり、表面に耐候性、耐食性の塗布皮膜を施すことで雨や塩害、錆等に強く、長期使用に耐えることができる。  
【００２２】
一対のフォーク５，５の長さＬ１は、図２に示すように、２個のプランター７，７を幅方向Ｗに前後整列した状態で、前のプランター７の前方から２個のプランター７，７に対し、それぞれの左右両側の鍔部７ａの下側の隙間Ｓ（図３参照）に一度に差し込んで、一度に２個持ち上げることが可能な長さに設定されている。
【００２３】
より具体的には、図３に示すように、フォーク５，５の先端が下向き傾斜姿勢の状態で鍔付きの細長い箱型のプランター７に対し、プランター７の前方からフォーク５，５を前進させて、プランター７の左右両側（図３の紙面に対して垂直方向）に位置する鍔部７ａの下側の隙間Ｓに差し込む。
【００２４】
フォーク５，５を隙間Ｓに差し込んだ状態で、車輪２を支点にハンドル部３を一点鎖線で示すように下げ操作すると、テコの原理で、一対のフォーク５，５がプランター７，７を地面から持ち上げる。後は、フォーク５，５を水平姿勢に維持したまま、運搬方向へ軽く旋回し、目的の場所まで楽に運搬することができる。
【００２５】
ハンドル部３の後端から車輪２の取付部６までの長さＬ２はフォーク５の長さＬ１の３倍程度とされており、テコの原理を利用して非常に軽い力で重いプランター７，７を持上げ・旋回・運搬することができる。
【００２６】
ハンドル部３の後端から続く二股部４の２本のパイプ材の分岐部４ｃには、回動連結部８が設けられている。この回動連結部８は、図４に示すように、分岐部４ｃにおいて、一方のパイプ材４ａからの突片４ｄに対し他方のパイプ材４ｂの後端がピン軸８ａの回りに回動可能に連結されている。
【００２７】
図５に示すように、車輪２，２の取付部６，６からは内方に延びる外筒９，９が設けられている。各外筒９の内部には各車輪２を走行自在に軸支する主軸９ａが設けられている。外筒９，９の内端間は所定の隙間Ｓ１が形成され、この隙間Ｓ１の調整によりフォーク５，５間の間隔Ｌ３を多少調整することができる。調整される隙間Ｓ１は、先端に鉤状の掛止部１０ａを備えた調整バー１０によって固定することができる。
【００２８】
調整バー１０は、一方の外筒９の各内端寄り外周に取り付けられた軸受１１に軸方向にスライド不可でかつ軸回りに回動自在に支持されている。他方の外筒９の外側には調整バー１０の鉤状の掛止部１０ａを掛け止めすることのできる掛止部材１２，１２・・・が複数個等間隔で軸方向に沿って取り付けられている。図６から図７に示すように、調整バー１０の掛止部１０ａを掛止部材１２，１２・・・のいずれかに掛け止めすることで、隙間Ｓ１を調整してフォーク５，５間の間隔Ｌ３を多少調整することができる。
【００２９】
上記実施形態のプランター運搬台車は、一般的なサイズ（胴部分の長さ寸法６２０ｍｍ、胴部分の幅寸法２２０〜２５０ｍｍ）の細長い箱型のプランターを運搬するのに適したサイズで製作されている。
【００３０】
次に上記のように構成されたプランター運搬台車の使用方法の一例を説明する。
【００３１】
図８に示すように、プランターの長さ方向Ａに沿って並んでいる２個のプランター７Ａ，７Ｂを、プランター運搬台車を使って一度に運搬しようとする場合、まず、プランター運搬台車を１個のプランター７Ａに対し位置決めする。図３に示すように、プランター７Ａの前方からハンドル部３を把持してそのフォーク５，５の前端を若干下向きにした状態でプランター運搬台車を前進させ、フォーク５，５をプランター７Ａの左右両側の鍔部７ａの下側の隙間Ｓに奥深く差し込み、プランター７Ａをフォーク５，５の根元寄りに位置させる。その状態でハンドル部３を下げ操作してプランター７Ａを持ち上げる。
【００３２】
プランター７のサイズに応じてフォーク５，５の間隔Ｌ３を調整したい場合、まず、図５に示す標準状態から、調整バー１０を軸回りに回動させ、掛止部１０ａをいったん起立させ、掛止部材１２との掛止を解く。そして、調整バー１０側の外筒９およびその上のフォーク５を図６に示すように図中右側へ所定量だけ動かす。最後に、図７に示すように、調整バー１０を回動させて掛止部１０ａを水平に倒し、所定の掛止部材１２に掛け止めする。これにより、フォーク５，５の間隔Ｌ３を小さく調整することができる。
【００３３】
二股部４の回動連結部８において、パイプ材４ｂがピン軸８ａ回りに回動可能に連結されているから、上記のフォーク５の動きに追随してパイプ材４ｂもピン軸８ａ回りに回動する。
【００３４】
プランター７Ａを持ち上げた後は、そのまま図８に示す隣りのプランター７Ｂに移動し、位置決めする。プランター７Ｂに対しフォーク５，５をその前端を若干下向きにした状態で前進させ、プランター７Ｂの鍔７ａの下面の隙間Ｓに差し込み、プランター７Ｂをフォーク５，５の前端寄りに位置させる。これにより図３に示したように、フォーク５，５の根元側、前端側にプランター７Ａ，７Ｂがそれぞれ位置する。ハンドル部３を下げ操作し、両プランター７Ａ，７Ｂを持ち上げる。その後は、ハンドル部３の操作により、運搬方向に旋回し、両プランター７Ａ，７Ｂを一緒に運搬する。
【実施例】
【００３５】
製作したプランター運搬台車のサイズは、フォーク５の長さＬ１＝５００ｍｍ、ハンドル部３の後端から車輪２の取付部６までの長さＬ２＝１８００ｍｍ、フォーク５，５間の間隔Ｌ３＝６２０ｍｍ、Ｌ３＝６２０ｍｍの時の外筒９，９の内端間の隙間Ｓ１＝４ｃｍである。Ｌ３＝６２０ｃｍを基準として、隙間Ｓ１＝４ｃｍだけ小さく調整できるようにした。
【産業上の利用可能性】
【００３６】
本考案に係るプランター運搬台車は、公園、道路、歩道などの公共の場所や、家庭の庭先等において、植栽や土を収納したプランターを運搬するのに幅広く利用することができる。
【図面の簡単な説明】
【００３７】
【図１】本考案のプランター運搬台車を示す斜視図である。
【図２】本考案のプランター運搬台車を示す平面図である。
【図３】本考案のプランター運搬台車のフォークをプランターの鍔の下側の隙間に差し込んだ状態を示す側面図である。
【図４】二股部の分岐部における連結部を示す要部拡大斜視図である。
【図５】フォーク間の間隔を調整するための構造を示す要部正面図である。
【図６】フォーク間の間隔を小さくした状態を示す要部正面図である。
【図７】調整バーの掛止部を掛止部材に掛止めする状態を示す要部断面図である。
【図８】２個のプランターが長さ方向に沿って並んでいる状態を示す正面図である。
【符号の説明】
【００３８】
１  フレーム本体
２  車輪
３  ハンドル部
３ａ  円環グリップ（円環状のグリップ）
３ｂ  屈曲部
４  二股部
４ａ，４ｂ  パイプ材
４ｃ  分岐部
４ｄ  突片
５  フォーク
６  取付部
７，７Ａ，７Ｂ  プランター
７ａ  鍔部
８  回動連結部
８ａ  ピン軸
９  外筒
９ａ  主軸
１０  調整バー
１０ａ  掛止部
１１  軸受
１２  掛止部材
Ｓ，Ｓ１  隙間
Ｌ１  フォークの長さ
Ｌ２  ハンドル部の後端から車輪の取付部までの長さ
Ｌ３  フォーク間の間隔
Ａ  プランターの長さ方向
Ｗ  プランターの幅方向
【図１】
0003111687.tif 000003
【図２】
0003111687.tif 000004
【図３】
0003111687.tif 000005
【図４】
0003111687.tif 000006
【図５】
0003111687.tif 000007
【図６】
0003111687.tif 000008
【図７】
0003111687.tif 000009
【図８】
0003111687.tif 000010